(57)【要約】【課題】Ｌ字状のプロテクタにおいて、挿通するワイヤハーネスの外径および曲げ角度が若干変化しても対応できるものとする。【解決手段】直線部に屈曲部が連続する底板と、該底板の内周側の全長から立設する内周側板と、前記底板の直線部から立設する固定側部と前記屈曲部から分離する蛇腹部および屈曲側部とを長さ方向に連続して設けた外周側板を備え、前記底板の屈曲部の先端に複数の係止爪を突設した連結部を設けると共に、前記外周側板の屈曲側部の下端に前記係止爪に選択的に係止する係止穴を設けた被連結部を突設し、前記底板と分離した外周側板の蛇腹部および屈曲側部を、挿通するワイヤハーネスの外面に沿わせて屈曲して前記係止爪に係止穴を係止する構成としている。【選択図】図１
2016119775.tif 000002
【特許請求の範囲】
【請求項１】
直線部に屈曲部が連続する底板と、該底板の内周側の全長から立設する内周側板と、前記底板の直線部から立設する固定側部と前記屈曲部から分離する蛇腹部および屈曲側部とを長さ方向に連続して設けた外周側板を備え、
前記底板の屈曲部の先端に複数の係止爪を突設した連結部を設けると共に、前記外周側板の屈曲側部の下端に前記係止爪に選択的に係止する係止穴を設けた被連結部を突設し、  前記底板と分離した外周側板の蛇腹部および屈曲側部を、挿通するワイヤハーネスの外面に沿わせて屈曲して前記係止爪に係止穴を係止する構成としているＬ字状のプロテクタ。
【請求項２】
前記底板の全長から突設する内周側板は、前記底板の直線部および屈曲部と対応する位置に直線部および屈曲部を備え、
前記底板の屈曲部の先端に薄肉とした前記連結部を設け、該連結部に周方向に間隔をあけて複数の係止爪を突設する一方、
前記外周側板の屈曲側部の下端に設ける前記被連結部は、前記底板の屈曲部の円弧状先端に沿う円弧状端面を備え、前記連結部に突設する前記係止爪と係止する係止穴を設けている請求項１に記載のＬ字状のプロテクタ。
【請求項３】
請求項１または請求項２に記載のＬ字状のプロテクタのワイヤハーネス外装方法であって、
前記プロテクタの外周側板を直線配置し、該外周側板に沿わせると共に前記底板の直線部の上面に沿ってワイヤハーネスを直線状に挿通し、該ワイヤハーネスを外周側板の長さ方向の両端に設けたテープ巻き片にテープ巻き固着し、
その後、前記蛇腹部および屈曲側部を屈曲させて、ワイヤハーネスと共に前記外周側板を前記内周側板の屈曲部の内面に当接させ、該状態で前記外周側板に設けた係止穴を前記底板に設けた係止爪に選択的に係止し、該外周側板を底板に固定しているＬ字状のプロテクタのワイヤハーネス外装方法。  
【請求項４】
ワイヤハーネス組立作業台に立設するＵ字治具で前記プロテクタを保持し、該プロテクタの外周側板を直線状として該Ｕ字治具の一方側枠の内面に沿わせると共に、該プロテクタの底板および内周側板の屈曲部を隣接するＵ字治具の他方側枠の間から外方へ突出させ、
ワイヤハーネスを直線状として前記プロテクタの外周側板に沿って布線し、その後、外周側板とワイヤハーネスをテープ巻き固着し、
ついで、プロテクタをＵ字治具から上方へ引き上げて、外周側板およびワイヤハーネスを屈曲して内周側板に接触させ、この状態で、係止穴に係止爪を挿入係止してプロテクタを組み立て、組み立てたプロテクタでワイヤハーネスを外装しているＬ字状のプロテクタのワイヤハーネス外装方法。
【発明の詳細な説明】
【技術分野】
【０００１】
本発明はＬ字状のプロテクタおよび該プロテクタのワイヤハーネス外装方法に関し、詳しくは、車両に配索するワイヤハーネスに外装して、ワイヤハーネスをＬ字状に経路規制するプロテクタにおいて、ワイヤハーネスの外径および曲げ角度が変化しても無理なく対応できるようにするものである。
【背景技術】
【０００２】
従来、この種のＬ型のプロテクタではワイヤハーネスを屈曲部に挿通しにくい問題がある。特に、予め決められたワイヤハーネス径に合わせて屈曲部が形成されていると、ワイヤハーネスを構成する回路数の増加によりワイヤハーネス径が少しでも大きくなると、また、ワイヤハーネスの屈曲角度が変わると、屈曲部へのワイヤハーネスの挿通作業は難作業となる。
【０００３】
前記Ｌ型プロテクタにワイヤハーネスを容易に挿通できるものとして、特開２００３−１３４６３４号公報で図１０（Ａ）〜（Ｃ）に示すプロテクタが開示されている。
前記プロテクタ１００は底板１０１の長さ方向の中央部に蛇腹状とした屈曲部１０２を設けて、底板１０１を所要角度に屈曲可能とする一方、屈曲部１０２を挟む長さ方向の両側に底板１０１から立設する側壁１０３、１０４を設けている。また、屈曲部１０２と対応する蓋側に曲蓋部１１１を蓋１１０の中央に設け、その両側部１１２、１１３に側壁１０３、１０４に設けた被係止部１０３ａ、１０４ａと係止する係止部１１２ａ、１１３ａを設けている。
【０００４】
前記プロテクタ１００は、図１０（Ａ）に示すように、底板１０１に設けた屈曲部１０２に直線状としてワイヤハーネス２００を真っすぐな状態で挿通した後に、図１０（Ｂ）に示すように、底板の屈曲部１０２を屈曲し、その後、図１０（Ｃ）に示すように、蓋１１０を被せて、係止部１１２ａ、１１３ａを被係止部１０３ａ、１０４ｂに係止して、プロテクタ１００でワイヤハーネス２００を外装している。
【先行技術文献】
【特許文献】
【０００５】
【特許文献１】特開２００３−１３４６３４号公報
【発明の概要】
【発明が解決しようとする課題】
【０００６】
前記特許文献１のプロテクタ１００は、底板に屈曲部１０２があるため、ワイヤハーネス２００を真っすぐに通すことができ、Ｌ型プロテクタへのワイヤハーネスの挿通を容易にできる利点はある。
しかしながら、屈曲部１０２を挟む両側部１０３、１０４では、底板１０１から両側部が立設し、ワイヤハーネスの挿通路の断面積は同一であり、かつ、屈曲部１０２に被せる曲蓋部１１１に両側部があるため、屈曲部の容積は一定である。
よって、ワイヤハーネス２００を構成する電線本数が回路変更により増加して、ワイヤハーネス２００の外径が増大すると、蓋１１０で閉じられなくなる問題がある。そのため、ワイヤハーネスをマイナーチェンジして、ワイヤハーネス外径が少しでも変化すると、プロテクタを新規に成形する必要があり、コスト高になる問題がある。さらに、ワイヤハーネスの曲がり角度が変化する場合も、プロテクタの屈曲箇所に挿通しにくい問題がある。
【０００７】
本発明は、前記問題に鑑みてなされたもので、Ｌ型プロテクタで経路規制するワイヤハーネスが回路変更等で、ワイヤハーネスの外径が若干大きくなった場合、屈曲部から引き出すワイヤハーネスの経路が若干変化した場合にも、ワイヤハーネスをプロテクタ内に容易に挿通でき、ワイヤハーネスがマイナーチェンジされた場合に共用できるプロテクタを提供することを課題としている。
【課題を解決するための手段】
【０００８】
前記課題を解決するため、本発明は、直線部に屈曲部が連続する底板と、該底板の内周側の全長から立設する内周側板と、前記底板の直線部から立設する固定側部と前記屈曲部から分離する蛇腹部および屈曲側部とを長さ方向に連続して設けた外周側板を備え、
前記底板の屈曲部の先端に複数の係止爪を突設した連結部を設けると共に、前記外周側板の屈曲側部の下端に前記係止爪に選択的に係止する係止穴を設けた被連結部を突設し、  前記底板と分離した外周側板の蛇腹部および屈曲側部を、挿通するワイヤハーネスの外面に沿わせて屈曲して前記係止爪に係止穴を係止する構成としているＬ字状のプロテクタを提供している。
【０００９】
本発明の前記構成からなるＬ字状のプロテクタは、外周側板の屈曲側部を蛇腹部を介してワイヤハーネスの外面に沿わせて屈曲するため、ワイヤハーネスの外径が大きくなっても、また、ワイヤハーネスの屈曲角度が若干異なっても、ワイヤハーネスの外面に沿って外周側板を立てることができる。このように、外周側板と内周側板の間隔および、内外周側板と底板に囲まれたワイヤハーネスの通路容積をワイヤハーネスに対応して変えることができ、プロテクタへのワイヤハーネスの挿通作業性を高めることができる。よって、ワイヤハーネスにマイナーチェンジがあっても新たにプロテクタを設ける必要はなく共用化を図ることができる。
【００１０】
前記底板の全長から突設する内周側板は、前記底板の直線部および屈曲部と対応する位置に直線部および屈曲部を備え、
前記底板の屈曲部の先端に薄肉とした前記連結部を設け、該連結部に周方向に間隔をあけて複数の係止爪を突設する一方、
前記外周側板の屈曲側部の下端に設ける前記被連結部は、前記底板の屈曲部の円弧状先端に沿う円弧状端面を備え、前記連結部に突設する前記係止爪と係止する係止穴を設けている。
【００１１】
詳細には、前記底板の連結部は前記屈曲部の円弧状先端から薄肉で突設し、該連結部の上下面から前記係止爪を突設する一方、前記外周側板の被連結部は前記屈曲側部の下端から突出した一対の挟持板から形成し、該一対の挟持板で前記連結部を挟み、これら挟持板にそれぞれ設けた係止穴と前記係止爪を選択的に係止する構成としている。
【００１２】
前記のように、底板に設けた周方向に間隔をあけて設けた複数の係止爪と、外周側板に設けた複数の係止穴とをワイヤハーネス径に応じて選択的に係止することで、ワイヤハーネス径の増大に対応でき、かつ、屈曲部でのワイヤハーネスの屈曲角度に追従できるようにしている。
【００１３】
前記底板の円弧状の連結部の上下面に突設する係止爪は上下対向位置に突設し、かつ、周方向に間隔をあけて２〜４個を突設すると共に、径方向で外周側と内周側とに２列設け、上下両面で４〜８個の係止爪を設けることが好ましい。
前記構成とすると、ワイヤハーネスの外径および外周側の曲げ角度に応じて、プロテクタの外周側板を３段で調節でき、かつ、内外周で係止するため外周側板を底板に安定して係止でき、組立信頼性を高めることができる。
【００１４】
さらに、本発明は、前記Ｌ字状のプロテクタのワイヤハーネス外装方法を提供している。該外装方法は、前記プロテクタの外周側板を直線配置し、該外周側板に沿わせると共に前記底板の直線部の上面に沿ってワイヤハーネスを直線状に挿通し、該ワイヤハーネスを外周側板の長さ方向の両端に設けたテープ巻き片にテープ巻き固着し、
その後、前記蛇腹部および屈曲側部を屈曲させて、ワイヤハーネスと共に前記外周側板を前記内周側板の屈曲部の内面に当接させ、該状態で前記外周側板に設けた係止穴を前記底板に設けた係止爪に選択的に係止し、該外周側板を底板に固定している。  
【００１５】
前記のように、プロテクタの外周側板を直線状とし、この状態で、外周側板に沿ってワイヤハーネスを直線状に挿通して、ワイヤハーネスを外周側板に固着し、その後、ワイヤハーネスの直径方向に対向する位置を内周側板に接触するまで、外周側板を屈曲させて底板と係止して、ワイヤハーネスをプロテクタで外装している。  
このように、ワイヤハーネスの直径やワイヤハーネスの曲がり角度が相違すると、外周側板は対応して屈曲でき、ワイヤハーネスのマイナーチェンジに容易に対応できる。
【００１６】
詳細には、ワイヤハーネス組立作業台に立設するＵ字治具で前記プロテクタを保持し、該プロテクタの外周側板を直線状として該Ｕ字治具の一方側枠の内面に沿わせると共に、該プロテクタの底板および内周側板の屈曲部を隣接するＵ字治具の他方側枠の間から外方へ突出させ、
ワイヤハーネスを直線状として前記プロテクタの外周側板に沿って布線し、その後、外周側板とワイヤハーネスをテープ巻き固着し、
ついで、プロテクタをＵ字治具から上方に引き上げて、外周側板およびワイヤハーネスを屈曲して内周側板に接触させ、この状態で、係止穴に係止爪を挿入係止してプロテクタを組み立て、組み立てたプロテクタでワイヤハーネスを外装して、経路規制および保護を図っている。
【発明の効果】
【００１７】
前記のように、本発明に係わるＬ字状のプロテクタは、直線部と屈曲部が連続した底板の全長から内周側板を立設する一方、外周側板は底板の直線部から立設しているが、屈曲部と分離しているため、分離した外周側板をワイヤハーネスの直径および曲げ角度に応じて屈曲でき、ワイヤハーネスのマイナーチェンジに対応でき、新たにプロテクタを設ける必要はない。
【００１８】
また、プロテクタの外周側板を直線状とし、該外周側板に沿ってワイヤハーネスを直線状に布線して固着した後に、外周側板とワイヤハーネスを屈曲して、内周側板にワイヤハーネスを接触させ、この接触位置で外周側板と底板とを係止して組み立てているため、屈曲領域にワイヤハーネスを屈曲して挿通する必要がなく、ワイヤハーネスのプロテクタへの挿通作業性を高めることができる。
【図面の簡単な説明】
【００１９】
【図１】本発明のプロテクタの実施形態を示し、（Ａ）は外周側板を開いた状態の斜視図、（Ｂ）は平面図、（Ｃ）は外周側板を閉じた状態の斜視図である。
【図２】底板の連結部と外周側板の被連結部の係止機構を示す要部拡大図である。
【図３】（Ａ）は底板の連結部の平面図、（Ｂ）は底板の連結部の底面図である。
【図４】（Ａ）は外周側板の被連結部の平面図、（Ｂ）は外周側板の被連結部の底面図である。
【図５】プロテクタに挿通するワイヤハーネスの外径が小さく且つ屈曲率が小さい場合を示し、（Ａ）は平面図、（Ｂ）は係止爪と係止穴の係止状態を示す図面である。
【図６】プロテクタに挿通するワイヤハーネスの外径が中程度で且つ屈曲率が中程度の場合を示し、（Ａ）は平面図、（Ｂ）は係止爪と係止穴の係止状態を示す図面である。
【図７】プロテクタに挿通するワイヤハーネスの外径が大きく且つ屈曲率が大きい場合を示し、（Ａ）は平面図、（Ｂ）は係止爪と係止穴の係止状態を示す図面である。
【図８】作業台上でプロテクタにワイヤハーネスを挿通する作業を示す斜視図である。
【図９】プロテクタの外周側板にワイヤハーネスをテープ巻き固着した後に内周側板に向けて屈曲し、底板と結合する過程を示す図面である。
【図１０】（Ａ）〜（Ｃ）は従来例を示す図面である。
【発明を実施するための形態】
【００２０】
以下、本発明のプロテクタを図面を参照して詳述する。
実施形態のプロテクタ１は、内部に挿通するワイヤハーネス２０をＬ字状に経路規制するＬ字状のプロテクタで、樹脂成形された一体品からなる。
プロテクタ１は、底板２と内周側板３と外周側板４とでワイヤハーネスの挿通路５を囲む。該Ｌ字状のプロテクタ１は直線領域Ｚ１に屈曲領域Ｚ２が連続し、屈曲領域Ｚ２の外周側の曲げアールをワイヤハーネス２０の直径の増減および曲げ角度に容易に追従して変えられるようにしている。
【００２１】
プロテクタ１の底板２は長さ方向の一方側を直線部２ａ、他方側を屈曲部２ｂとし、直線部２ａの幅方向の一端側に外周側板４の長さ方向の一方側を連結して立設すると共に、他方側は屈曲部２ｂと分離している。一方、該底板２の全長に沿って幅方向の他端側に内周側板３を立設し、内周側板３には底板２の直線部２ａと対応する位置に直線部３ａを設け、屈曲部２ｂと対応する位置に屈曲部３ｂを設けている。
【００２２】
前記底板２の屈曲部２ｂの先端側に円弧端面２ｂ１を設け、該円弧端面２ｂ１の厚さ方向の中央部から薄肉とした連結部２ｃを突設している。該連結部２ｃの先端は前記円弧端面２ｂ１と平行な円弧状外周縁２ｃ１とし、該円弧状外周縁２ｃ１に沿って周方向に間隔をあけて、図２及び図３に示すように上下両面で対応する係止爪６を内外周に２列で設けている。即ち、上面側に係止爪６ａ１と６ａ２、６ｂ１と６ｂ２、６ｃ１と６ｃ２を設け、下面側に係止爪６ｄ１と６ｄ２、６ｅ１と６ｅ２、６ｆ１と６ｆ２を設けている。これら係止爪は内周側の係止爪６ａ１と６ａ２、６ｄ１と６ｄ２は一段目の係止爪、中間の係止爪６ｂ１と６ｂ２、６ｅ１と６ｅ２は二段目の係止爪、外周側の係止爪６ｃ１と６ｃ２、６ｆ１と６ｆ２は三段目の係止爪としている。
なお、係止爪は周方向に２段〜４段で設けてもよく、内外周に設けずに周方向に１列で設けてもよい。
【００２３】
外周側板４は同一高さで長さ方向に延在し、長さ方向の一方側は底板２の直線部２ａの幅方向の一端縁に沿って立設する平板状の固定側部４ａとなる。固定側部４ａに連続して、長さ方向に凹凸を交互に設けた蛇腹部４ｂを底板２と分離して設け、該蛇腹部４ｂに平板状の屈曲側部４ｃを連続して設けている。前記蛇腹部４ｂを挟む屈曲側部４ｃおよび固定側部４ａの先端にそれぞれワイヤハーネス固定用のテープ巻き片４ｍ、４ｎを突設している。
【００２４】
また、外周側板４は、前記底板２と分離した屈曲側部４ｃの下端に被連結部４ｄを底板２側に向けて突設している。該被連結部４ｄは底板２の前記連結部２ｃを挟む一対の挟持板４ｄ１、４ｄ２を備え、該挟持板４ｄ１と４ｄ２にそれぞれ係止穴７、８を設けている。詳細には、図４（Ａ）（Ｂ）に示すように、挟持板４ｄ１と４ｄ２の対向面に前記係止爪６ａ１と６ａ２〜６ｆ１と６ｆ２をそれぞれ挿入係止する係止穴７ａ１と７ａ２〜７ｃ１と７ｃ２、８ａ１と８ａ２〜８ｃ１〜８ｃ２を設けている。また、挟持板４ｄ１と４ｄ２の長さ方向で中央側の端縁４ｅ１、４ｅ２は前記底板２の屈曲部２ｂの円弧端面２ｂ１と同様の曲率としている。
【００２５】
プロテクタ１は、前記のように、底板２と内周側板３の形状は一定で変化させないが、外周側板４の底板２と分離する蛇腹部４ｂおよび屈曲側部４ｃは挿通路５に挿通するワイヤハーネス２０の屈曲角度およびワイヤハーネスの外径に応じて変化し、挿通路５の容積を可変できるものとしている。
【００２６】
即ち、プロテクタ１の屈曲領域Ｚ２は、外周側板４の蛇腹部４ｂが屈曲して直線領域Ｚ１から屈曲領域Ｚ２の外周側板を構成し、屈曲角度に応じて、図５→図６→図７に示す３段階で挿通路５の容積が次第に増大する。
【００２７】
図５は屈曲領域Ｚ２における挿通路５の容積が最小となる幅狭状態であり、外周側板４は蛇腹部４ｂから屈曲側部４ｃにかけた曲率が最小で、外周側板４の屈曲側部４ｃが内周側板３の屈曲部３ｂに最も接近する。
該幅狭状態では、外周側板４の被連結部４ｄの一対の挟持板４ｄ１、４ｄ２の円弧状の端縁４ｅ１、４ｅ２は底板２の屈曲部２ｂの円弧端面２ｂ１に隙間なく接合する。かつ、底板２の連結部２ｃの両面に突設した係止爪６ａ１〜６ｆ２が両側の挟持板４ｄ１、４ｄ２に設けたすべての係止穴７ａ１〜８ｃ２にそれぞれ係止する。
【００２８】
この幅狭状態で外周側板４と内周側板３は同一幅をあけて底板２の両側から略平行に突設する。よって、挿通路５に挿通するワイヤハーネス２０の屈曲角度が略直角で、ワイヤハーネス２０の外径が小さい場合は当該幅狭状態としている。
なお、後述するように、プロテクタ１にワイヤハーネス２０を挿通する作業時に、ワイヤハーネス２０の屈曲角度及び外径に応じた形状に外周側板を底板に対して組み立てられることになる。
【００２９】
図６は屈曲領域Ｚ２における挿通路５の容積が中間となる中間幅狭状態であり、蛇腹部４ｂから屈曲側部４ｃにかけた曲率が図５より大きくなり且つ外周側板４が内周側板３より離れる。
該中間幅狭状態では、外周側板４の挟持板４ｄ１に穿設した先端（一段目）の係止穴７ａ１と７ａ２を連結板２ｃの先端（一段目）の係止爪６ａ１と６ａ２と係止せず、２段目の係止爪６ｂ１と６ｂ２に係止する。同様に、挟持板４ｄ２に穿設した一段目の係止穴８ａ１と８ａ２は、連結板２ｃの一段目の係止爪６ｄ１と６ｄ２と係止せず、２段目の係止爪６ｅ１と６ｅ２に係止する。
この中間幅狭状態で外周側板４の下端は底板２と若干隙間があき、内周側板３より離れる方向となり、屈曲領域Ｚ２の曲率は大きくなる。よって、挿通路５に挿通するワイヤハーネス２０の屈曲角度が直角より広角となり、ワイヤハーネス２０の外径が図５より大きくなる場合に、当該中間幅狭状態としている。
【００３０】
図７は屈曲領域Ｚ２における挿通路５の容積が最大となる幅広状態であり、蛇腹部４ｂから屈曲側部４ｃにかけた曲率が図６より大きくなり且つ外周側板４の屈曲側部４ｃが内周側板３の屈曲部３ｂより更に離れる。
該幅広状態では、外周側板４の挟持板４ｄ１に穿設した一段目の係止穴７ａ１と７ａ２を連結板２ｃの一段目の係止爪６ａ１と６ａ２および二段目の係止爪６ｂ１と６ｂ２と係止せず、三段目の係止爪６ｃ１と６ｃ２に係止する。同様に、挟持板４ｄ２に穿設した一段目の係止穴８ａ１と８ａ２は、連結板２ｃの一段目の係止爪６ｄ１と６ｄ２および二段目の係止爪６ｅ１と６ｅ２に係止せず、三段目の係止爪６ｆ１と６ｆ２と係止する。
この幅広状態で外周側板４の下端は底板２と隙間があき、内周側板３より更に離れる方向となり、屈曲領域Ｚ２の曲率はより大きくなる。よって、挿通路５に挿通するワイヤハーネス２０の屈曲角度が更に広角となり、ワイヤハーネス２０の外径が図６より大きくなる場合に、当該狭広状態としている。
【００３１】
前記プロテクタ１にワイヤハーネス２０を組み付けて外装する方法を説明する。
図８に示すように、ワイヤハーネス組立作業台５５に立設するＵ字状の電線保持治具５６にプロテクタ１の外周側板４を直線状として予め保持する。其の際、外周側板４は電線保持治具５６の一側枠５６ａに添わせ、底板２を底面とし、内周側板３は隣接配置する電線保持治具５６の間から外方に屈曲側を突出させておく。
【００３２】
多数の電線Ｗを集束してテープを荒巻きして結束したワイヤハーネス２０を電線保持治具５６で保持したプロテクタ１の底板２上に配置して挿通する。挿通後に外周側板４の長さ方向の両端に設けたテープ巻き片４ｍ、４ｎとワイヤハーネス２０を粘着テープＴ１、Ｔ２でそれぞれ巻き付け固着する。
【００３３】
ついで、ワイヤハーネス２０と固着したプロテクタ１を電線保持治具５６より上方へ引き出し、外周側板４の蛇腹部４ｂを回転支点として屈曲側部４ｃを底板２の連結部２ｃに沿うように屈曲させる。この外周側板４の屈曲作業でワイヤハーネス２０を内周側板３との間に挟むと共に、底板２の連結板２ｃを外周側板４の下端から突出させた一対の挟持板の間に挟んでいく。
【００３４】
外周側板４に固着したワイヤハーネス２０に内周側板３の屈曲部３ｂの内面が当接した位置で外周側板４の屈曲作業を停止し、連結板２ｃの両面に突設した係止爪６を挟持板４ｄ１、４ｄ２の係止穴７、８に挿入係止する。この係止する係止爪６と係止穴７、８とは前記図５（Ｂ）、図６（Ｂ）、図７（Ｂ）に示すように、ワイヤハーネス２０の外径に対応した位置の係止爪６と係止穴７、８が係止する。
【００３５】
前記のように、ワイヤハーネス２０の外径に応じた位置に屈曲した外周側板４の屈曲側部４ｃを底板２の連結板２ｃに係止した状態で、ワイヤハーネス２０はプロテクタ１内にＬ字状に屈曲して配索され、プロテクタ１によりワイヤハーネス２０の経路規制と保護がなされる。
【００３６】
プロテクタ１は底板２と両側の内周側板３および外周側板４でワイヤハーネス２０を囲み、底板２と対向する上面は開口となる。ワイヤハーネス２０は外周側板４にテープ巻き固着されているため、上面開口でもプロテクタ１から脱落する恐れはない。
なお、必要であれば、プロテクタ１の外周面にテープを巻き付けて上面を閉鎖しても良い。さらに、内周側板の上端に上板をヒンジを介して設けても良いし、別に設けた上板を取り付けるようにしてもよい。
【００３７】
前記のように、本発明のプロテクタ１でワイヤハーネス２０を外装する場合、布線作業時に、図８に示すように、屈曲領域Ｚ２で外周側板４の屈曲側部４ｃを底板２と分離して直線状態とし、ワイヤハーネス２０を直線に布線して、プロテクタ１とテープ巻きして固着しているため、プロテクタへのワイヤハーネス２０の取り付け作業は容易となる。
このようにテープ巻き固着した後に、図９に示すように、屈曲領域Ｚ２で外周側板４の屈曲側部４ｃを屈曲させてワイヤハーネス２０の外面に沿わせた位置で底板２に係止している。
【００３８】
前記のように、通常、ワイヤハーネス２０の外径が増加したり、ワイヤハーネス２０の屈曲角度が相違すると、プロテクタの屈曲箇所の挿通路が従来のように規定されていると、ワイヤハーネスの挿通作業は難作業となる。よって、ワイヤハーネス２０の外径が回路数の増加により大きくなったり、曲がり角度が若干かわると、マイナーチェンジしたプロテクタを新たに成形している。
しかしながら、本発明では、ワイヤハーネスの外径および曲がり角度に対応して外周側板を屈曲させるために、前記難作業を解消し、プロテクタの屈曲箇所にワイヤハーネスをスムーズに挿通することができる。かつ、プロテクタを新規に成形する必要はなく、共用で用いることできるために、コスト低減を図ることができる。
【符号の説明】
【００３９】
１  プロテクタ
２  底板
２ａ  直線部
２ｂ  屈曲部
２ｃ  連結部
３  内周側板
４  外周側板
４ａ  固定側部
４ｂ  蛇腹部
４ｃ  屈曲側部
４ｄ  被連結部  
４ｄ１、４ｄ２  挟持板
５  挿通路
６  係止爪
７、８  係止穴
２０  ワイヤハーネス
【図１】
2016119775.tif 000003
【図２】
2016119775.tif 000004
【図３】
2016119775.tif 000005
【図４】
2016119775.tif 000006
【図５】
2016119775.tif 000007
【図６】
2016119775.tif 000008
【図７】
2016119775.tif 000009
【図８】
2016119775.tif 000010
【図９】
2016119775.tif 000011
【図１０】
2016119775.tif 000012